(57)【要約】【課題】  高い走査線密度をもち、特に垂直型ウィンドウの上部及び下部にデッドゾーンがない全方向性走査パターンを生成すること。【解決手段】  垂直スロット型スキャナが、垂直型ウィンドウを越えて呈示されるか又は動かされるシンボルを読み取るための、全体をカバーする走査パターンを生成する。走査線をウィンドウの中央部の上部及び下部に生成し、スキャナの生産性を改善させる。【選択図】          図１
2005115950.tif 000002
【特許請求の範囲】
【請求項１】
カウンタートップを有する取引地点のワークステーションを通過する物体と関連した表示記号を電気光学的に読み取るための読取装置であって、前記読取装置が、
ａ）前記カウンタートップ上に支持され、該カウンタートップ上に支持された時に、ほぼ垂直面にあるウィンドウを有するハウジングと、
ｂ）軸線の周りに回転するように、前記ハウジング内に取り付けられたミラー付回転部品と、
ｃ）前記ハウジング内に取り付けられ、全体的に前記軸線の周りに配置された複数の据え置き型反射ミラーと、
ｄ）前記ハウジング内に取り付けられ、光ビームを生成し、前記光ビームを前記回転部品に指向させ、該回転部品から前記据え置き型ミラーに反射させ、該据え置き型ミラーから前記ウィンドウを通して読み取られるべき前記表示記号に反射させるように動作する光源と、
ｅ）前記回転部品を回転させて、前記据え置き型ミラーを横切って前記光ビームを掃引し、前記ウィンドウにおいて、該ウィンドウを通して、複数の走査線から構成される走査パターンを形成するための、前記ハウジング内の駆動装置と、
を備え、
ｆ）前記据え置き型ミラーは、前記走査線の第１のものを反射させるための第１の対のミラーと、該走査線の第２のものを反射させるための第２の対のミラーと、前記ウィンドウの上部中央部において該走査線の第３のものを反射させるための、前記第１及び第２の対のミラーの中間にあり、該第１及び第２のミラーに対して傾斜された第３の対のミラーとを含み、前記表示記号を読み取るための全体をカバーする全方向性走査パターンが形成されるようになったことを特徴とする読取装置。
【請求項２】
前記ハウジングが、平行六面体の形状を有し、該ハウジングが前記カウンタートップ上に支持されたベースを有することを特徴とする請求項１に記載の読取装置。
【請求項３】
前記回転部品が、前記軸線の周りに配置された複数の平面ミラーを有することを特徴とする請求項１に記載の読取装置。
【請求項４】
前記据え置き型ミラーの各々が平らな形状であることを特徴とする請求項１に記載の読取装置。
【請求項５】
前記据え置き型ミラーが列に沿って連続して配置され、前記第１の対のミラーが、前記列の両端に配置され、前記第２の対のミラーが該列の中央部に互いに隣接して配置され、前記第３の対の各ミラーが該第１の対のそれぞれのミラーと該第２の対のそれぞれのミラーとの間に配置されたことを特徴とする請求項４に記載の読取装置。
【請求項６】
前記ハウジングが、前記カウンタートップ上にあるベースを有し、前記第２の対の前記ミラーが、前記ベースにほぼ平行な線形の下縁部を有することを特徴とする請求項５に記載の読取装置。
【請求項７】
前記第３の対の前記ミラーが、前記第２の対の前記ミラーの下縁部より前記ウィンドウに近い下縁部を有することを特徴とする請求項６に記載の読取装置。
【請求項８】
前記回転部品が前記軸線の周りに配置された４つの平面ミラーを有し、６つの据え置き型平面ミラーがあることを特徴とする請求項１に記載の読取装置。
【発明の詳細な説明】
【技術分野】
【０００１】
本発明は、一般に、バーコード・シンボルのような表示記号を読み取るための電気光学的読取装置に関し、より具体的には、ウィンドウを通して該シンボルを確実に読み取ることを保証するために、該読取装置の垂直型ウィンドウにおいて、全体をカバーする全方向性走査パターンを生成することに関する。
【背景技術】
【０００２】
長年、水平スロット型スキャナとしても知られるフラットベッド型レーザ・スキャナが、スーパーマーケット、ウェアハウスクラブ、デパート、及び他の種類の小売店における取引地点のワークステーションにおいて、特に万国製品コード（ＵＰＣ）形式のバーコード・シンボルを電気光学的に読み取るために用いられてきた。米国特許第５，０５９，７７９号、第５，１２４，５３９号、及び第５，２００，５９９号に例示されるように、単一の水平型ウィンドウが、ワークステーションの水平方向カウンタートップと同一平面上にセットされ、該水平方向カウンタートップに組み込まれる。購入されることになる製品は、識別用シンボルを有しており、水平方向ウィンドウを横切って摺動させられ、多数の走査線がこのウィンドウを通して全体的に上向きに投射される。走査線の少なくとも１つが製品と関連したシンボルの上を掃引すると、該シンボルが処理され、読み取られる。
【０００３】
水平スロット型スキャナの代わりに、又は該水平スロット型スキャナに加えて、そのウィンドウが、ほぼ垂直であり、ワークステーションにおいて操作者に面するようにカウンタートップ上に配置された、一般的には携帯型読取装置である垂直スロット型スキャナを設けることが知られている。垂直型読取装置内の走査パターン生成装置が、多数の走査線を、垂直型ウィンドウを通し、操作者に向けてほぼ外側に投射する。操作者は、製品を、右から左へ又は左から右へ、垂直型ウィンドウを越えて摺動させるか、或いは、製品上のシンボルを垂直型ウィンドウの中央に呈示するだけであり、その選択は該操作者の好み又はワークステーションのレイアウトによって決まる。
【０００４】
シンボルが、操作者の反対側に直接垂直型ウィンドウの方に向くように、該操作者によって各々の製品を配向しなければならない。したがって、操作者は、走査中にシンボルがどこにあるかを正確に見ることができない。一般的な「ブラインド照準」の使用においては、操作者は、まず、製品上のシンボルを目に見えるように置き、次に垂直方向軸線を中心に該製品を回転させて、該シンボルを読取装置に向ける。操作者が、誤って、ウィンドウの面から約２０度から３０度まで回転された面にシンボルを置くことは、通常のことである。
シンボルの位置決め及び配向は変わりやすいので、シンボルのブラインド照準は、より困難になっている。シンボルは、製品の低い位置又は高い位置、或いは右から左まで、或いは中間に配置することができる。シンボルは、１次元のＵＰＣシンボルの細長く平行なバーが垂直方向である「ピケットフェンス」方向、又はシンボル・バーコードが水平方向である「ラダー」方向、或いはその中間の何らかの配向角度で配向させることができる。
こうした環境において、垂直ウィンドウに配置され、該垂直ウィンドウから投射された走査線が、カウンタートップのできるだけ近くに下方に延び、該カウンタートップの上にできるだけ高く延びるように、全体をカバーする走査パターンを提供することが重要である。走査パターンは、該走査パターンの高さ全体にわたって何らかの可能な方法で配置されたシンボルを読み取るように配向された走査線を含まなければならない。
【０００５】
垂直スロット型スキャナの幾つかの取付けにおいて、垂直型ウィンドウの前でカウンタートップを横切って製品を摺動させるのに不十分な作業空間しか利用できない場合には、操作者は、一般的に、垂直型ウィンドウの前にある程度静止した状態で該製品保持することによって、シンボルを呈示する。多くの操作者は、シンボルを垂直型ウィンドウの中央に呈示した時に読取装置が最も良好に働くことを本能的に期待する。さらに、周知の垂直スロット型スキャナは、垂直型ウィンドウの上部中央部に走査線がない「デッドゾーン」を有し、よってシンボルが該ウィンドウの中央部より上に配置された場合、該シンボルをピケットフェンス方向に読み取ることができない。周知の垂直スロット型スキャナの一部もまた、垂直型ウィンドウの下部中央部にこうしたデッドゾーンを有し、よって、シンボルが該ウィンドウの中央部より下方に配置された場合、該シンボルをピケットフェンス方向に読み取ることができない。これらのデッドゾーンにより、最初に製品を、ウィンドウを越えて摺動するか又は該ウィンドウに呈示した時、幾つかの製品が読み取られず、そのため取引の処理が遅らされ、生産性が減少する。
【０００６】
全ての周知の垂直スロット型スキャナは、ウィンドウの前の空間に投射された時に大きくなる走査パターンを有する。このことは、走査パターンが、ウィンドウから数インチ離れて配置された製品において広い面積をカバーすることを可能にし、実際には、製品が該ウィンドウからさらに遠隔に配置された場合でも、読取装置の性能が改善する。しかしながら、多くの操作者は、シンボルがウィンドウのすぐ近くに配置された場合に読取装置が最も良好に働くと本能的に感じるものである。したがって、現実の使用法に対処するために、走査パターンによりウィンドウの高さ全体が満たされ、次に、ウィンドウの前の空間に投射された時に該走査パターンが急速に大きくなることが重要である。
【０００７】
従来技術による垂直スロット型スキャナにおける周知の走査パターン生成装置は、モータによって軸線の周りを回転するようにシャフト上に取り付けられたミラー付部品にレーザ・ビームを射出するためのレーザを含む。複数の据え置き型ミラーが、軸の周りに配置される。ミラー付部品が回転すると、レーザ・ビームは、据え置き型ミラーに向けて次々に反射され、走査線の走査パターンとして該据え置き型ミラーから垂直型ウィンドウを通って反射される。しかしながら、上述のように、従来技術の垂直スロット型スキャナの走査パターンは、垂直型ウィンドウを完全に満たしていず、特に垂直型ウィンドウの上部中央部及び下部中央部にデッドゾーンを有し、このことが読取装置の性能を制限することになる。
【発明の開示】
【発明が解決しようとする課題】
【０００８】
本発明の１つの目的は、垂直スロット型スキャナの技術状況を進歩させることである。
本発明の別の目的は、こうしたスキャナの垂直型ウィンドウにおいて、該垂直型ウィンドウを通して、その全体をカバーする走査パターンを生成することである。
本発明のさらに別の目的は、高い走査線密度をもち、特に垂直型ウィンドウの上部及び下部にデッドゾーンがない全方向性走査パターンを生成することである。
【課題を解決するための手段】
【０００９】
以下に明らかになるこれらの目的及び他の目的を維持するにあたり、簡潔に言うと、本発明の１つの特徴は、カウンタートップを有する取引地点のワークステーションを通過する物体と関連した、バーコード・シンボルのような表示記号を電気光学的に読み取るための読取装置にある。この読取装置は、カウンタートップ上に支持され、該カウンタートップ上に支持された時に、ほぼ垂直面にあるウィンドウを有するハウジングを含む。軸線の周りに回転するように、ミラー付回転部品がハウジング内に取り付けられる。複数の据え置き型反射ミラーが、ハウジング内に取り付けられ、全体的に軸線の周りに配置される。光ビームを生成し、該光ビームを回転部品に指向させ、該回転部品から据え置き型ミラーに反射させ、該据え置き型ミラーからウィンドウを通して読まれるべき表示記号に反射させるように、光源がハウジング内に取り付けられる。回転部品を回転させて、据え置き型ミラーを横切って光ビームを掃引し、ウィンドウにおいて、該ウィンドウを通して、複数の走査線から構成される走査パターンを形成するように、駆動装置がハウジング内に取り付けられる。
【００１０】
本発明によると、据え置き型ミラーが、走査線の第１のものを反射させる第１の対のミラーと、走査線の第２のものを反射させる第２の対のミラーと、走査線の第３のものを反射させる第３の対のミラーとを含む。より詳細には、第３の対のミラーは、第１及び第２の対の中間にあり、該第１及び第２の対に対して傾斜されており、そのためウィンドウの上部中央部において走査線の第３のものを反射させる。このことにより、ウィンドウの中央部の上方にある前述の従来技術のデッドゾーンがなくなり、ウィンドウをより完全に満たし、カバーする全方向性走査パターンが形成される。
据え置き型ミラーは、ハウジングの前壁のウィンドウと外壁の間に配置される。第３の対のミラーは、その下縁部が第２の対のミラーの下縁部よりウィンドウの近くにあり、その上縁部が該第２の対のミラーの上縁部より後壁の近くあるように、上方に傾斜される。
【００１１】
ウィンドウの中央部の下方にある前述の従来技術のデッドゾーンをなくすために、第２のミラーの下縁部が、ハウジングがカウンタートップ上にある底壁の近くに配置される。
本発明の特徴であると考えられる新規な特徴は、添付の特許請求の範囲において特に述べられる。しかしながら、添付の図面と併せて読むと、本発明自体は、構成及び動作の方法の両方に関して、そのさらなる目的及び利点と共に、以下の特定の実施形態の説明から最も良く理解されるであろう。
【発明を実施するための最良の形態】
【００１２】
参照番号１０は、各々がバーコード・シンボルを有する缶１２又は箱１４のような製品が購入のために処理される、取引、及び具体的には小売現場のレジを処理するためのワークステーションを全体に識別する。このカウンターは、カウンタートップ１６を含み、これを横切って、製品が該カウンタートップ１６上に取り付けられた垂直方向スロット読取装置２０の垂直型ウィンドウ１８を越えて摺動される。レジ係又は操作者２２は、カウンタートップの一方の側に配置され、読取装置２０は、反対側に配置される。現金／クレジット・レジスター２４は、操作者が容易に届く範囲に配置される。
【００１３】
以下に詳細に説明されるように、読取装置２０内の走査パターン生成装置が、ウィンドウ１８において走査パターンを生成し、該走査パターンを、読取装置から遠ざかる空間に、操作者に向けて外側に投射する。走査パターンは、多数の走査線から成り、該走査線の少なくとも１つが、購入されることになる製品と関連し、典型的には該購入されることになる製品の包装の上に印刷されたシンボルの少なくとも一部にわたって掃引するように意図される。シンボルが掃引されると、該シンボルにより散乱された光は、製品を識別するために当該技術分野において公知の方法で検知され、デジタル化され、デコードされる。識別されると、製品の価格のような情報を取り出すために、読取装置によってデータベース内の参照テーブルにアクセスすることができ、次に、ワークステーションにおける購入取引を完了させる周知の方法で、この取り出された情報を処理することができる。
【００１４】
上述のように、たとえシンボルが、完全にでなくても、少なくとも部分的に操作者の視野方向から離れる方向を向いていたとしても、該シンボルをウィンドウに向けなければならない。シンボルがカウンタートップに対して異なる配向を有するという事実によって、照準を定めることがさらに複雑になるので、該シンボルは、該カウンタートップに対して様々な高さで配置することになり、異なる速度でウィンドウを通して動かすことになり、該ウィンドウに対してある程度静止させた状態で呈示することになり、該ウィンドウの比較的近くに、又は該ウィンドウから比較的遠ざかるように置くことになり、該ウィンドウの異なる領域に、該ウィンドウの面に対して異なる角度で呈示することになり、該シンボルを読み取ることができない、走査パターンの走査線が比較的ないデッドゾーンが存在することになる。
【００１５】
図２は、ウィンドウの中央部の上に上部デッドゾーン２６及び該ウィンドウの中央部の下に下部デッドゾーン２８を有する、垂直スロット型スキャナの垂直型ウィンドウ１８における従来技術の走査パターンを示す。各々のデッドゾーン２６、２８には、シンボルを掃引するための走査線がなく、よって、そこでシンボルを読み取ることができない。
本発明によると、図３及び図５に最も良く見られるように、読取装置２０が、ウィンドウ１８が取り付けられている前壁３２と、該前壁から後方に間隔をおいて配置された後壁３４と、カウンタートップ１６上にあるベースすなわち底壁３６と、該底壁から上方に間隔をおいて配置された上壁３８と、該上壁と該底壁との間及び該前壁と該後壁との間を延びる１対の側壁４０、４２とを有する平行六面体のハウジング３０を含む。ウィンドウ１８は、使用の際にほぼ垂直面にあり、垂直方向の軸に対してわずかに傾斜させることができる。
【００１６】
図５に最も良く見られるように、レーザ４４のような光源が、ハウジング３０内に取り付けられたフレーム４８に装着されたブラケット４６上に取り付けられている。レーザ４４は、レーザ・ビームを振動可能な平面走査ミラー５０に射出し、該レーザ・ビームは、そこから、矢印Ａの方向に軸線５４を中心に回転するようにフレーム４８上に取り付けられたミラー付回転部品５２に反射される。部品５２は、その周囲に主回転ミラー５６、５８、６０、６２を有する。部品５２は、４つの平面ミラーを取り付けるか、又は平面ミラーとして働くように光反射材料の鏡面コーティングを塗布した４つの平坦な外壁を有する、成形された角錐形のブロックであることが好ましい。各々の主ミラー５６、５８、６０、６２は、軸線５４に対して様々な角度の傾斜で傾斜されている。部品５２を回転させるために、駆動装置、好ましくは電気モータ６４が、ハウジング内に取り付けられることが好ましい。
【００１７】
図３に最も良く見られるように、光を反射する複数の据え置き型平面ミラーが、不完全な環状の列又は３６０°より少ない弧状距離に沿って、全体的に軸線５４の周りに、フレーム４８上に取り付けられている。据え置き型ミラーは、列の両側にある第１の対の外側又はウィング・ミラー６６、６８と、該列の中央部にある互いに隣接する第２の対の内側又は中央ミラー７０、７２と、第３の対の中間又は傾斜ミラー７４、７６とを含む。ミラー７４は、ミラー６８、７２に対して傾斜されており、該ミラー６８と該ミラー７２との間に配置されている。主ミラー５６、５８、６０、６２において反射される光は、据え置き型ミラー６８、７６、７２、７０、７４、６６に指向され、続けて、該据え置き型ミラー６８、７６、７２、７０、７４、６６からウィンドウ１８の方向に、該ウィンドウ１８を通して反射される。
【００１８】
より具体的には、部品５２が回転する際、その後縁８０が入射光ビームから離れて図４に示すようにウィンドウ１８に６つの走査線６８ａ、７６ａ、７２ａ、７０ａ、７４ａ、６６ａを生成するまで、その前縁７８に隣接する主ミラー５８の一部が、該入射光ビームを走査ミラー５０から外側のミラー６８に、続いて据え置き型ミラー７６、７０、７４、及び６６に反射させる。次に、その後縁８２が入射光ビームから離れて図４に示すようにさらに６つの走査線６８ｂ、７６ｂ、７２ｂ、７０ｂ、７４ｂ、６６ｂを生成するまで、該縁部８０に隣接する主ミラー６０の一部が、該入射光ビームを据え置き型ミラー６８、７６、７２、７０、７４、６６に反射させる。その結果、同様に、主ミラー６２は、付加的な走査線６８ｃ、７６ｃ、７２ｃ、７０ｃ、７４ｃ、６６ｃを生成し、主ミラー５６は、付加的な走査線６８ｄ、７６ｄ、７２ｄ、７０ｄ、７４ｄ、６６ｄを生成する。上述のように、主ミラー５６、５８、６０、及び６２は軸線５４に対して様々な角度で傾斜しているので、接尾文字「ａ」、「ｂ」、「ｃ」、及び「ｄ」を有する走査線のグループは、離間して配置される。
【００１９】
図２及び図４の比較が示すように、内部の走査線の存在のために、デッドゾーン２６、２８は、なくなるか又は領域内において少なくとも大きく減少される。このように、傾斜ミラー７４、７６が、走査線７４ａ、ｂ、ｃ、ｄ及び７６ａ、ｂ、ｃ、ｄをウィンドウの上部中央部に追加して、上部デッドゾーン２６のサイズを減少させ、内側ミラー７０、７２が、走査線７０ａ、ｂ、ｃ、ｄ及び７２ａ、ｂ、ｃ、ｄをウィンドウの下部中央部に追加して、下部デッドゾーン２８のサイズを減少させることに関与する。傾斜ミラー７４、７６及び内側ミラー７０、７２によって生成されたこれらの走査線は傾斜しており、よって、ピケットフェンス及びラダー方向の両方を有するシンボルを読み取ることが可能になる。
より具体的には、図３に示されるように、仮想軸８４、８６が、内側ミラー７２、７０の面に示される。傾斜ミラー７６、７４は、約９°の円弧に沿ってこれらの虚軸を中心にピボット運動される。傾斜ミラー７６、７４の下縁部８８、９０は、例えば、内側ミラー７２、７０の下縁部９２、９４よりウィンドウの近くに配置されている。内側ミラーの面からの傾斜ミラーの傾斜が、付加的な走査線を該ウィンドウの上部中央部に反射させるように働く。
【００２０】
内側ミラーの下縁部９２、９４は、底壁３６の比較的近くに配置され、同一線形に並んでいることが好ましい。内側ミラーの下部部分は、付加的な走査線をウィンドウの下部中央部に反射させるように働く。
走査ミラー５０を振動させることによって、走査線の付加的な動きを達成することができる。図５から図７までに示されるように、走査ミラー５０は、集光ミラー９６上に取り付けられ、該集光ミラー９６は、ミラー・ブラケット９８上に取り付けられている。少なくとも１つの永久磁石１００が、Ｕ形状の支持体１０２の一方の脚部上に取り付けられ、該Ｕ形状の支持体１０２の他方の脚部は、ミラー・ブラケット９８に連結されている。
【００２１】
電磁コイル１０４が、コイル・ブラケット１０６上に取り付けられ、該コイル・ブラケット１０６は、フレーム４８上に取り付けられている。好ましくは、約１０ミルの厚さのＭｙｌａｒ（登録商標）材料から構成された１対の平坦な板ばね１０８、１１０が、走査ミラー５０の両側において、コイル・ブラケット１０６とミラー・ブラケット９８との間に取り付けられている。代表的なばね１０８として図７に示されるように、その両側は、エポキシ１１２によってブラケット１０６、９８に固定される。
【００２２】
周期的な交流駆動信号を電磁コイル１０４に適用すると、磁石１００の永久磁場と相互作用する交流磁場が生成され、これにより、いずれも軸線１１４の周りの中心にある板ばね１０８、１１０を一端の位置に撓曲させる、支持体１０２、ミラー・ブラケット９８、及びミラー５０、９６と協働して、磁石１００が引き付けられ、及び／又は反発される。その結果、ばねは、磁場の相互作用によって又は該磁場の相互作用なしで、これらの部品を最初の位置に戻す。これらの部品の一般的な振動は、約４０Ｈｚの周波数において１°のオーダーである。
【００２３】
走査ミラー５０の振動により、図４の走査パターンにおいてさらに多くの走査線が生成され、これにより読み取り性能がさらに改善される。振動する収光ミラー９６は、シンボルにおいて散乱された光を集光し、該散乱された光を光検出器（図示せず）に指向させ、該シンボルを示すアナログ電気信号を生成する。次に、シンボルに関係する製品を識別するために、電気信号が、周知の方法でデジタル化され、デコードされる。
多くのコード、すなわちＵＰＣ、ＥＡＮ、及びＪＡＮは、半分にデコードされるように設計されているので、たとえ個々の走査線がシンボル全体を横切らなくても、現在使用されている全てのデコーダは、シンボルをデコードすることができる。言い換えれば、１つの走査線は、半分のシンボルをカバーすることができ、別の走査線は、走査パターンのどこでももう半分のシンボルをカバーすることができる。次に、デコーダは、２つの半分を組み立て、場合によっては、幾つかのデコーダは、シンボルのより小さな部分さえも組み立てることができる。このことは、単一の走査線を有するシンボル全体を走査することができない場合に、不完全なシンボル、或いは損傷したシンボル又はしわが寄ったシンボルを読み取る際に特に望ましい。
【００２４】
上述の素子の各々が、又は２つ又はそれ以上が協同して、上述の形式と異なる他の形式の構成で有用な用途を見出すこともできることが理解される。
本発明は、全体をカバーする全方向性走査パターンを生成する垂直型ウィンドウを通して表示記号を電気光学的に読み取るための読取装置において具体化されるものとして示され、説明されたが、決して本発明の精神から逸脱することなく、様々な修正及び構造的変化をなすことができるので、示される詳細に限定されることを意図するものではない。
それ以上の分析がなくても、上記が本発明の要旨を完全に明らかにするので、現在の知識を適用することによって、これを、従来技術の観点から、本発明の一般的又は特定の態様の本質的な特性を適正に構成する特徴を省くことなく、様々な用途に適用することができ、よって、こうした適用は、上の特許請求の範囲の均等物の意味及び範囲の範囲内にあるものとして理解すべきであり、理解することが意図される。
【図面の簡単な説明】
【００２５】
【図１】通過する製品上のシンボルを読み取る際にワークステーションのカウンタートップ上に取り付けられた本発明による電気光学的読取装置の、切り除かれた斜視図である。
【図２】従来技術によるデッドゾーンを有する走査パターンを示す、周知の垂直スロット型スキャナの垂直型ウィンドウの断面図である。
【図３】図１の読取装置の垂直型ウィンドウの前部断面図である。
【図４】図３の読取装置によって生成される走査パターンを示す図２に類似した図である。
【図５】図３の線５−５で切り取られた断面図である。
【図６】図５の線６−６で切り取られた断面図である。
【図７】図６の構成の一部の、拡大され切り除かれた細部である。
【符号の説明】
【００２６】
１０：ワークステーション
１６：カウンタートップ
１８：ウィンドウ
２０：読取装置
２６、２８：デッドゾーン
３０：ハウジング
４４：レーザ
５０：走査ミラー
５２：ミラー付回転部品
５６、５８、６０、６２：主ミラー
６４：電気モータ
６６、６８、７０、７２、７４、７６：据え置き型ミラー
１００：永久磁石
１０４：電磁コイル
１０８、１１０：板ばね
【図１】
2005115950.tif 000003
【図２】
2005115950.tif 000004
【図３】
2005115950.tif 000005
【図４】
2005115950.tif 000006
【図５】
2005115950.tif 000007
【図６】
2005115950.tif 000008
【図７】
2005115950.tif 000009